(57)【要約】      （修正有）【課題】側溝内部の構造を、内部にながされる排水を流れを速める構造とすることによって内部に汚泥が溜まらないように上方より下方に徐々に幅狭に形成することにより、内部を流れる水の速度を速めて内部に汚泥がたまらないようにした側溝を提供する。【解決手段】蓋付きコンクリートプレキヤスト製の側溝１において、側溝の凹所を上方より下方に徐々に幅狭に形成し、廃水の流れを速めて汚泥が溜まりにくい構造とした。【選択図】図１
0003106197.tif 000002
【実用新案登録請求の範囲】
【請求項１】
蓋付きコンクリートプレキヤスト製の側溝において、側溝の凹所を上方より下方に徐々に幅狭に形成してなることを特徴する汚泥を溜まり難くした側溝。
【請求項２】
側溝の凹所の下方底部を曲状とした請求項１記載の汚泥を溜まり難くした側溝。
【請求項３】
側溝の凹所の下方底部をＶ字状とした請求項１記載の汚泥を溜まり難くした側溝。
【考案の詳細な説明】
【技術分野】
【０００１】この考案は、道路や鉄道に沿って形成される排水施設、いわゆる側溝に関する。更に、詳しくは、内部に汚泥が着床し難い側溝に関する。
【背景技術】
【０００２】従来、道路や鉄道に沿って形成される側溝は、排水凹部の断面コの字状であって、且つ内部底板の表面部が平板であるから、ある程度の水量が流れている場合でも、汚泥が定面に着床し易く、そして一旦着床した汚泥は次の汚泥を呼び、次第に大きな嵩に成長する。こうした汚泥が一定期間放置されるようになると、そこに雑草が生え、木屑流砂が付着し易くなる。このようにして汚泥塊は、もはや流水では流されないから、ある期間毎に汚泥塊を人為的に除去しない限り、もはや側溝が排水施設として機能しなくなることになる。このような汚泥を着床しにくい土管型式のものでは、円筒状のものが提供されているが、上方より開閉自在の蓋を有するプレキャストコンクリート製の側溝としては存在しない。【０００３】溜まった汚泥を一定期間ごとに除去、回収するするシステム（例えば、特許文献１）、更に、内部を卵形にして汚泥を溜まりにくい構造にすると共に汚泥の除去のために上方部にスリットを形成されたもの（例えば、特許文献２）のように、さまざまな考案、発明がなされている。【０００４】
【特許文献１】特開平８−１９７０９８号
【特許文献２】実用新案登録第２５７２２６９２号
【考案の開示】
【考案が解決しようとする課題】
【０００５】この考案は、側溝内部の構造を、内部にながされる排水を流れを速める構造とすることによって内部に汚泥が溜まらないように上方より下方に徐々に幅狭に形成することにより、内部を流れる水の速度を速めることにより側溝内部に汚泥が溜まらないようにした側溝を提供するものである。
【課題を解決するための手段】
【０００６】上記の課題を解決するために、請求項１の考案では、蓋付きコンクリートプレキヤスト製の側溝において、側溝の凹所を上方より下方に徐々に幅狭に形成してなる。
請求項２の考案では、側溝の凹所の下方底部を曲状とした。
請求項３の考案では、側溝の凹所の下方底部をＶ字状とした。
【考案の効果】
【０００７】この考案は、蓋付きコンクリートプレキヤスト製の側溝において、側溝の凹所を上方より下方に徐々に幅狭に形成することで側溝の凹所の断面積を小さくして、側溝内部を流れる排水の流速を速めることによって、側溝内部、特に排水の流速によってその底部に汚泥の着床することを回避して、汚泥を未然に連続的除去し、以て側溝の凹所を絶えず清浄化して、側溝の凹所の維持、管理が極めて容易となる効果がある。
【考案を実施するための最良の形態】
【０００８】この考案は、蓋付きコンクリートプレキヤスト製の側溝において、側溝の凹所を上方より下方に徐々に幅狭に形成することにより、排水流速を速めることにより、側溝の凹所に汚泥の着床を回避した側溝を提供する。
【実施例１】
【０００９】以下この考案の実施例の説明の中で、汚泥とは、砂、石、泥、ゴミ、野菜クズ片、流木片等の有機性又は無機性の塊、細片を総称した用語とする。【００１０】図１に示す汚泥を溜まり難くした側溝では、比較的流水量の多いところで使用するもので、側溝の凹所深さのほぼ中央部より下方に徐々に幅狭に形成し、且つ底部を曲状に形成した側溝としてあるものである。【００１１】コンクリートプレキヤスト製の側溝１は、左右の側壁部２と底部３とからなる。前記左右の側壁部２と底部３とによって側溝１の凹所４が形成される。
左右の側壁部２は中央部から下部方向に徐々に幅狭に形成される。前記底部３は、図１では曲凹状に形成にされているが、図２に示すように、Ｖ字状底部６のように鋭角状に形成されることもある。左右の側壁部２、２の上部の蓋受部５、５にはコンクリートプレキヤスト製のコンクリート蓋板９にて閉蓋自在としてある。
前記図１、図２の側溝の凹所４の断面積ａは、図５に示す従来例の凹所の断面積ｃより小となる。【００１２】図３に示す側溝１では、側溝の凹所深さのほぼ上端部７、７より下部Ｖ字状の鋭角底部８を形成した場合には、その側溝の凹所の断面積ｂは、、前記図１、図２で示した側溝の凹所の断面積ａよりも更に小とすることかできる。【００１３】従って、流水量を一定とすれば、図５に示す従来例の凹所の断面積ｃより断面積の小さな図１、図２の側溝の凹所の断面積ａ及び図３の側溝の凹所の断面積ｂは、その流速が速く、従って汚泥も速い流速に流されることになる。
但し、図３のように、側溝下部において幅狭になると流量が多くない場合には、逆に汚泥の流れが阻害されることがあるので注意する必要がある。【００１４】図１、図２の側溝の凹所の排水流量の断面積ａ又は、図３の側溝の凹所の排水流量の断面積ｂでは、図５の従来のＵ字状の側溝の断面積ｃと比較すると小さくできることで、排水流速を格段に速くすることができるため、汚泥が側溝の底部に着床にすることを有効に回避することができることになる。
もちろん、本願考案のような形状の側溝とした場合であっても、汚泥の量に比較して排水水量が極端に少ない場合には、汚泥が着床しないように汚泥を流すに至らないことがあるが、一定量の流水量がある場合、従来の側溝では汚泥が流されない場合であっても、本件考案の側溝では汚泥を流速によってこれを有効に除去することができる。【００１５】図４（イ）では、下方底部に更に小曲凹状部１０を形成してあるが、この場合でも、この小曲凹状部１０内部の流速が速めることで、その上部流速も内部摩擦によって、順次に上方部の流速を速めることになる。【００１６】図４（ロ）では、底部の左右に小曲状凹部１１、１１を形成した側溝を示してある。排水流量が極端に少ない場合には、何れかの小曲状凹部１１に排水を流すことによって比較的その排水速度を高めることができる。
【産業上の利用可能性】
【００１７】製造工程上、本件考案の側溝は、従来の側溝と比較してなんら変わることがないので、価格の上でも安価に提供することができる他、排水流量が定常的に確保される場合には、排水の流速により汚泥を効果的に排除することができることから、汚泥の維持、管理が容易におこなうことができる。本件考案の側溝が全国の市町村にて採用されれば、汚泥による汚水の溜まりに発生する蚊、蠅の発生を未然に防止することができ、環境の衛生化を資するものである。
【図面の簡単な説明】
【００１８】
【図１】底部を曲状にした側溝の断面図
【図２】凹所中央部をＶ字状にした側溝の断面図
【図３】凹所上部よりＶ字状にした側溝の断面図
【図４】（イ）、（ロ）は、底部に小曲状部を形成した側溝の断面図
【図５】従来の側溝の断面図
【符号の説明】
１．．．  側溝
２．．．．側壁部
３．．．．底部
４．．．  凹所
５．．．  蓋受部
６．．．．Ｖ字状底部
７．．．  側溝の凹所上端部
８．．．．Ｖ字状鋭角底部
９．．．．プレキャスト製のコンクリート蓋
１０．．．小曲凹状底部
１１．．．左右の小曲状凹部
【図１】
0003106197.tif 000003
【図２】
0003106197.tif 000004
【図３】
0003106197.tif 000005
【図４】
0003106197.tif 000006
【図５】
0003106197.tif 000007